(57)【要約】【課題】使用済遊技機を解体して使用目的に合わせた再使用化を図る。【解決手段】遊技機製造会社１から遊技店２に販売し、遊技店２から破棄された使用済遊技機６を使用済遊技機交換センター３に収集し、使用済遊技機交換センター３で遊技機製造会社１ごとに分別した使用済遊技機６を遊技機製造会社１ごとのリサイクル処理業者４に送り、リサイクル処理業者４が使用済遊技機６を解体するとともに解体した部品のうちの再使用可能部品７を遊技機製造会社１に送るとともに再使用不可能部品８を循環生産業者５に送り、循環生産業者５がリサイクル処理業者４から送られてきた再使用不可能部品８の取り付られたままの使用済遊技機６をロータリーキルンに投入して燃焼し、その燃焼灰をロータリーキルンで消石灰、酸化鉄、粘土などの主原料と一緒にセメントクリンカーとして焼き締めることで、セメントを生成する。【選択図】　　　　図１
2004141645.tif 000002
【特許請求の範囲】
【請求項１】
遊技機製造会社と遊技店と使用済遊技機交換センターとリサイクル処理業者と循環生産業者とを備え、使用済遊技機交換センターが遊技店から破棄された使用済遊技機を収集しかつ収集した使用済遊技機を遊技機製造会社ごとに分別して遊技機製造会社ごとのリサイクル処理業者に送り、リサイクル処理業者が使用済遊技機を解体しかつ解体した部品のうちの再使用可能部品を遊技機製造会社に送るとともに解体した部品のうちの再使用不可能部品を循環生産業者に送り、循環生産業者が再使用不可能部品を別の製品製造の材料として使用することを特徴とする使用済遊技機の回収方法。
【請求項２】
遊技機製造会社と遊技店と使用済遊技機交換センターとリサイクル処理業者と循環生産業者とのそれぞれに備えたコンピュータをインターネットに接続し、遊技機製造会社のコンピュータが遊技店と使用済遊技機交換センターとリサイクル処理業者と循環生産業者とのそれぞれに備えたコンピュータからインターネットを利用して遊技店から破棄された使用済遊技機からの再使用可能部品に関する管理情報を編集することを特徴とする使用済遊技機の回収方法。
【請求項３】
遊技機製造会社に備られたコンピュータに接続される出力機器に表示される管理情報は、使用済遊技機の機種名、製造番号、部品名、再使用可能部品数であることを特徴とする請求項２記載の使用済遊技機の回収方法。
【発明の詳細な説明】
【０００１】
【発明の属する技術分野】
本発明は遊技店から使用済として破棄されたパチンコ機やスロットマシンなどのような使用済遊技機を解体して使用目的に合わせて再使用する回収方法に関する。
【０００２】
【従来の技術】
従来の使用済遊技機のリサイクル方法には、使用済遊技機を乾留処理した後に破砕し、その破砕片から磁気を利用して鉄系金属を除去し、その鉄系金属の取り除かれた破砕片を圧縮することにより、その圧縮工程で発生する熱で破砕片中の熱可塑性合成樹脂を軟化させるとともに破砕片の容積を圧縮して塊状の減容固化体を形成し、その減容固化体をロータリーキルンに投入して燃焼し、その燃焼灰をロータリーキルンで消石灰、酸化鉄、粘土などの主原料と一緒にセメントクリンカーとして焼き締めるというものが、知られている（例えば、特許文献１参照）。
【０００３】
【特許文献１】
特開平１０−１１３６４６号（第１頁、要約、図１）
【０００４】
【発明が解決しようとする課題】
しかしながら、前記従来例は使用済遊技機の数量が年間数百台と多いことからセメント生成に利用するにも、限度があるという問題点があった。
【０００５】
そこで、本発明は使用済遊技機を解体して使用目的に合わせて再利用することができる回収方法を提供するものである。
【０００６】
【課題を解決するための手段】
１つの本発明にあっては、遊技機製造会社と遊技店と使用済遊技機交換センターとリサイクル処理業者と循環生産業者とを備え、使用済遊技機交換センターが遊技店から破棄された使用済遊技機を収集しかつ収集した使用済遊技機を遊技機製造会社ごとに分別して遊技機製造会社ごとのリサイクル処理業者に送り、リサイクル処理業者が使用済遊技機を解体しかつ解体した部品のうちの再使用可能部品を遊技機製造会社に送るとともに解体した部品のうちの再使用不可能部品を循環生産業者に送り、循環生産業者が再使用不可能部品を別の製品製造の材料として使用することによって、使用済遊技機を解体して使用目的に合わせて再利用することができる。もう１つの本発明にあっては、遊技機製造会社と遊技店と使用済遊技機交換センターとリサイクル処理業者と循環生産業者とのそれぞれに備えたコンピュータをインターネットに接続し、遊技機製造会社のコンピュータが遊技店と使用済遊技機交換センターとリサイクル処理業者と循環生産業者とのそれぞれに備えたコンピュータからインターネットを利用して遊技店から破棄された使用済遊技機からの再使用可能部品に関する管理情報を編集することによって、遊技機製造会社は、これから製造するための遊技機に使用できる再使用可能部品における個々の型や個数を把握し、新たに準備しなければならない部品の型や個数も把握することができる。また、もう１つの本発明にあっては、遊技機製造会社に備られたコンピュータに接続される出力機器に表示される管理情報は、使用済遊技機の機種名、製造番号、部品名、再使用可能部品数であれば、遊技機製造会社が再使用可能部品とそれの個数とを特定し易い。
【０００７】
【発明の実施の形態】
図１および図２は第１実施形態である。図１は使用済遊技機６の回収方法を示す。図２はリサイクル処理業者４の作業を示す。
【０００８】
図１を参照し、使用済遊技機６の回収方法について説明する。この方法は、遊技機製造会社１、遊技店２、使用済遊技機交換センター３、リサイクル処理業者４、循環生産業者５を備える。そして、使用済遊技機交換センター３が、遊技店２から破棄された使用済遊技機６を収集する。使用済遊技機交換センター３は、収集した使用済遊技機６を遊技機製造会社１ごとに分別し、その分別した使用済遊技機６を遊技機製造会社１ごとのリサイクル処理業者４に送る。リサイクル処理業者４は、使用済遊技機交換センター３から送られてきた使用済遊技機６を解体した後、その解体した部品のうちの再使用可能部品７を遊技機製造会社１に送り、その解体した部品のうちの再使用不可能部品８を循環生産業者５に送る。循環生産業者５は、リサイクル処理業者４から送られてきた再使用不可能部品８を別の製品製造の材料として使用する。
【０００９】
使用済遊技機交換センター３は、遊技店２から使用済遊技機６を収集する場合、個々の遊技機に関する管理情報（例えば、使用済遊技機６に液晶表示器が付いているか否かのような使用済遊技機６の現況情報）を記入した管理伝票９と使用済遊技機６とを一緒に収集する。また、使用済遊技機交換センター３は、遊技機製造会社１ごとに分別した使用済遊技機６を遊技機製造会社１ごとのリサイクル処理業者４に送る場合、上記管理伝票９も該当する使用済遊技機６と一緒にリサイクル処理業者４に送る。管理伝票９は、使用済遊技機６を破棄する遊技店２の人、または、遊技店２から使用済遊技機交換センター３に使用済遊技機６を貨物自動車で運搬する運搬業者、あるいは、使用済遊技機交換センター３の人が作成する。
【００１０】
リサイクル処理業者４は、解体した部品のうちの再使用可能部品７を遊技機製造会社１に送る場合、再使用可能部品７における個々の部品に関する管理情報を記入した管理伝票１０と再使用可能部品７とを一緒に送る。管理伝票１０は、リサイクル処理業者４、または、リサイクル処理業者４から遊技機製造会社１に再使用可能部品７を貨物自動車で運搬する運搬業者、あるいは、遊技機製造会社１の人が作成する。また、リサイクル処理業者４は、解体した部品のうちの再使用不可能部品８を循環生産業者５に送る場合、再使用不可能部品８における個々の部品に関する管理情報を記入した管理伝票１１と再使用不可能部品８とを一緒に送る。管理伝票１１は、リサイクル処理業者４、または、リサイクル処理業者４から循環生産業者５に再使用不可能部品８を貨物自動車で運搬する運搬業者、あるいは、循環生産業者５が作成する。
【００１１】
循環生産業者５は、再使用不可能部品８を別の製品製造の材料として使用する場合、再使用不可能部品８を別の製品製造の材料として使用したことおよび再使用不可能部品８を材料として使用して製造される製品名を管理伝票１１に付記した後、当該管理伝票１１を遊技機製造会社１に送る。
【００１２】
図２を参照し、リサイクル処理業者４の作業について詳述する。リサイクル処理業者４は、使用済遊技機交換センター３から送られてきた使用済遊技機６に取り付けられている主・ランプ・音声・発射・球払出などの各種制御装置、電源装置、球発射機構、盤用外部情報端子板、枠用外部情報端子板、スピーカ、球検出器、液晶表示器、ガラス枠、枠施錠装置、球払出装置、電動アクチュエータ、コネクタなどを再使用可能部品７として使用済遊技機６から取り外す。この取り外した再使用可能部品７をリサイクル処理業者４は遊技機製造会社１に送る。この再使用可能部品７の取り外された残りの再使用不可能部品８をリサイクル処理業者４は循環生産業者５に送る。
【００１３】
遊技機製造会社１は、リサイクル処理業者４から送られてきた再使用可能部品７の個々を洗浄するとともに、再使用可能部品７の個々の機能検査を行う。特に、制御装置は、合成樹脂からなる制御ケースの内部に、マイクロコンピュータ、トランジスタ、コンデンサ、抵抗器、コネクタなどの電気部品の実装された回路基板を密封した形態であるので、使用済遊技機６に制御装置が取り付けられた状態において、使用済遊技機６に取り付けられた制御対象部品と制御装置とを接続している配線がニッパーのような工具で切断された後、制御装置が使用済遊技機６から取り外される。その後、制御ケースを構成する上カバーと下カバーとを結合している止ねじのような固着具が、制御ケースから取り外されることで、電気部品の実装された回路基板と制御ケースとが分離される。
【００１４】
そして、遊技機製造会社１が、回路基板を目視検査で洗浄が必要か否かを判断し、汚れの程度から洗浄が必要な場合、加圧空気を回路基板の全体に吹き付けるような空気洗浄を行う。その後、空気洗浄をしたしないにかかわらず、遊技機製造会社１は、回路基板における配線パターンや電気部品に対する機能検査を行う。この電気部品に対する機能検査では、回路基板に実装されているＲＯＭを検査プログラムの格納された検査ＲＯＭに交換するかまたは実装ＲＯＭに格納された検査プログラムのいずれかで電気的な検査を行う。遊技機製造会社１が、検査の結果、配線パターンに欠損が生じている場合は回路基板を破棄し、電気部品が故障している場合は当該故障している電気部品を新しい良品と交換し、電気部品の交換された回路基板に対する上記検査を再度行う。検査に合格した回路基板は上記分離された上カバーと下カバーとで密封した後、上カバーと下カバーとを止ねじで結合し、制御装置を再生する。
【００１５】
循環生産業者５は、リサイクル処理業者４から送られてきた遊技機枠や遊技盤などの再使用不可能部品８を取り付けたままの使用済遊技機６を乾燥した後に破砕し、その破砕片を圧縮することにより、その圧縮工程で発生する熱で破砕片中の熱可塑性合成樹脂を軟化させるとともに破砕片の容積を圧縮して塊状の減容固化体を形成し、その減容固化体をロータリーキルンに投入して燃焼し、その燃焼灰をロータリーキルンで消石灰、酸化鉄、粘土などの主原料と一緒にセメントクリンカーとして焼き締めることで、セメントを生成する。
【００１６】
図３および図４は第２実施形態である。図３は前記管理伝票９；１０；１１を作成する代わりの処理を示す。図４は図３の処理の結果として遊技機製造会社１での管理情報の出力形態を示す。
【００１７】
図３を参照し、管理伝票９；１０；１１を作成する代わりの処理について説明する。この処理の場合、遊技機製造会社１、遊技店２、使用済遊技機交換センター３、リサイクル処理業者４、循環生産業者５、リサイクル情報交換センター１２などの拠点を設ける。これら各拠点にはコンピュータ１３；１４；１５；１６；１７；１８が個別に設置される。これらのコンピュータ１３−１８はインターネット（コンピュータネットワーク）１９に接続される。その状態において、個々の拠点において、種々の時点で発生する個々の遊技機に関する管理情報がコンピュータ１３−１８に入力される。
【００１８】
具体的には、遊技店２のコンピュータ１４の場合、使用済遊技機６を破棄する遊技店２の人、または、遊技店２から使用済遊技機交換センター３に使用済遊技機６を貨物自動車で運搬する運搬業者が、コンピュータ１４に接続された図外のイメージスキャナまたはキーボードまたはマウスなどの入力機器を操作し、コンピュータ１４に、遊技店２から破棄される使用済遊技機６を表わす管理情報と管理伝票９に書き込まれるのと同じ管理情報とを入力する。
【００１９】
使用済遊技機交換センター３のコンピュータ１５の場合、遊技店２から使用済遊技機交換センター３に使用済遊技機６を貨物自動車で運搬する運搬業者、または、使用済遊技機交換センター３の人が、コンピュータ１５に接続された図外のイメージスキャナまたはキーボードまたはマウスなどの入力機器を操作し、コンピュータ１５に、遊技店２から使用済遊技機交換センター３に収集された使用済遊技機６を表わす管理情報と当該使用済遊技機６が使用済遊技機交換センター３に収集されたことを表わす管理情報とを入力する。
【００２０】
リサイクル処理業者４のコンピュータ１６の場合、使用済遊技機交換センター３からリサイクル処理業者４に使用済遊技機６を貨物自動車で運搬する運搬業者、または、リサイクル処理業者４が、コンピュータ１６に接続された図外のイメージスキャナまたはキーボードまたはマウスなどの入力機器を操作し、コンピュータ１６に、使用済遊技機交換センター３からリサイクル処理業者４に送られてきた使用済遊技機６を表わす管理情報と、管理伝票１０に書き込まれるのと同じ再使用可能部品７における個々の部品に関する管理情報と、管理伝票１１に書き込まれるのと同じ再使用不可能部品８における個々の部品に関する管理情報とを入力する。
【００２１】
循環生産業者５のコンピュータ１７の場合、リサイクル処理業者４から循環生産業者５に再使用不可能部品８を貨物自動車で運搬する運搬業者、または、循環生産業者５が、コンピュータ１７に接続された図外のイメージスキャナまたはキーボードまたはマウスなどの入力機器を操作し、コンピュータ１７に、リサイクル処理業者４から循環生産業者５に送られてきた再使用不可能部品８の取り付けられていた使用済遊技機６を表わす管理情報と、管理伝票１１に書き込まれるのと同じ再使用不可能部品８を別の製品製造の材料として使用したことおよび再使用不可能部品８を材料として使用して製造される製品名に関する管理情報とを入力する。
【００２２】
リサイクル情報交換センター１２のコンピュータ１８の場合、リサイクル情報交換センター１２の人がコンピュータ１７に接続された図外のイメージスキャナまたはキーボードまたはマウスなどの入力機器を操作し、コンピュータ１８に、上記コンピュータ１４−１７からの管理情報を入手するための指示を入力する。これによって、コンピュータ１８がインターネット１９を介してコンピュータ１４−１７から各管理情報を収集する。
【００２３】
遊技機製造会社１のコンピュータ１３の場合、遊技機製造会社１の人がコンピュータ１３に接続された図外のイメージスキャナまたはキーボードまたはマウスなどの入力機器を操作し、コンピュータ１３に、コンピュータ１４−１７からの管理情報を入手するための指示を、または、コンピュータ１８からの管理情報を入手するための指示を入力する。これによって、コンピュータ１３がインターネット１９を介してコンピュータ１４−１７またはコンピュータ１８から各管理情報を収集する。その状態において、遊技機製造会社１の人がコンピュータ１３に接続された上記図外の入力機器を操作し、コンピュータ１３に、収集した管理情報の編集を指示する。これによって、コンピュータ１３が収集した管理情報を編集し、その編集した管理情報（編集後の管理情報）をコンピュータ１３に接続された出力機器２０に出力する。
【００２４】
図４を参照し、出力機器２０に表示された編集後の管理情報について説明する。編集後の管理情報は、出力機器２０が画像表示器２１の場合は表示画面に表示され、出力機器２０がプリンタ２２の場合は印刷用紙に表示される。編集後の管理情報は、遊技店２から破棄された使用済遊技機６を表わす管理情報たる機種名ごとに作成される。例えば、機種名が「ルパン」の場合、使用済遊技機６の製造番号が「１−２３４５６」、「２−３３２５６」であるとし、各製造番号に対応する再使用可能部品７として回収される部品名欄には「○」が付され、各製造番号に対応する再使用不可能部品８として回収される部品名欄には「×」が付される。
【００２５】
そして、合計欄には部品名欄における「表示器」、「制御装置」、「ガラス」などの部品個々に対する「○」の個数が再使用可能部品数として、「表示器」＝３０、「制御装置」＝２５、「ガラス」＝８のように、表示される。また、機種名が「ブラボー」の場合、使用済遊技機６の製造番号が「Ａ−３３５２」、「Ａ−３３１６」であるとし、各製造番号に対応する再使用可能部品７として回収される部品名欄には「○」が付され、各製造番号に対応する再使用不可能部品８として回収される部品名欄には「×」が付される。
【００２６】
また、合計欄には部品名欄における「表示器」、「制御装置」、「ガラス」などの部品個々に対する「○」の個数が再使用可能部品数として、「表示器」＝３３、「制御装置」＝１８、「ガラス」＝９のように、表示される。このような編集後の管理情報を遊技機製造会社１が作成することによって、遊技機製造会社１は、これから製造するための遊技機に使用できる再使用可能部品７における個々の型や個数を把握し、新たに準備しなければならない部品の型や個数も把握することができる。
【００２７】
前記編集後の管理情報を作成する以外に、遊技機製造会社１では、コンピュータ１３を操作することによって、上記インターネット１９を利用して入手した使用済遊技機６に関する各種の管理情報を遊技機情報と遊技店情報と販売日とを対応付けたデータベースに蓄積することによって、遊技機製造会社１が販売後の遊技機の移動履歴を管理してもよい。
【図面の簡単な説明】
【図１】第１実施形態に係る使用済遊技機回収方法を示す模式図。
【図２】第１実施形態のリサイクル処理業者の作業のフローチャート。
【図３】第２実施形態の管理情報のインターネット対応を示す模式図。
【図４】第２実施形態の編集後の管理情報を示す図表。
【符号の説明】
１　遊技機製造会社
２　遊技店
３　使用済遊技機交換センター
４　リサイクル処理業者
５　循環生産業者
６　使用済遊技機
９−１１　管理伝票
１３−１８　コンピュータ
１９　インターネット
【図１】
2004141645.tif 000003
【図２】
2004141645.tif 000004
【図３】
2004141645.tif 000005
【図４】
2004141645.tif 000006